(57)【要約】【課題】  建物の開口部に設けられて屋外の光を違和感なく屋内の奥まで十分に取入れ、明るさ感を向上させることができる採光面材、およびこの採光面材を用いた建物の開口部構造を提供する。【解決手段】  この採光面材１は、建物の開口部１１に設けられて前記開口部１１を塞ぎ屋外の光を屋内に取入れる複層の採光面材である。この採光面材１は、屋外側に設けられる非拡散性の透光板２と、屋内側に設けられ透過光を拡散させる拡散板３と、これら透光板２と拡散板３との間に介在し入射光を上方へ屈折させて透過させる偏光フィルム４とを備える。偏光フィルム４の代わりに、コーティング層等の偏光材料層を設けても良い。【選択図】      図１
2014044305.tif 000002
【特許請求の範囲】
【請求項１】
建物の開口部に設けられて前記開口部を塞ぎ屋外の光を屋内に取入れる複層の採光面材であって、
屋外側に設けられる非拡散性の透光板と、屋内側に設けられ透過光を拡散させる拡散板と、これら透光板と拡散板との間に介在し入射光を屈折させて透過させる偏光素材層とを備えることを特徴とする採光面材。
【請求項２】
請求項１記載の採光面材において、前記偏光素材層が偏光フィルムであって、この偏光フィルムを前記透光板の裏面に貼り付け、前記偏光フィルムと前記拡散板との間に空気層を介在させた採光面材。
【請求項３】
請求項１記載の採光面材において、前記偏光素材層が偏光フィルムであって、前記透光板と前記拡散板との間に前記偏光フィルムを挟み込んだ採光面材。
【請求項４】
請求項１ないし請求項３のいずれか１項に記載の採光面材において、この採光面材を設ける前記開口部が建物の壁面における開口部であって、前記偏光素材層または偏光フィルムは、屋外側から前記透光板を下向きに透過した入射光を上向きに屈折させる屈折性を有する採光面材。
【請求項５】
建物の開口部に、請求項１ないし請求項４のいずれか１項に記載の採光面材を設けた建物の開口部構造。
【請求項６】
請求項５記載の建物の開口部構造であって、建物の開口部内の一部に前記採光面材を設け、前記開口部内の残りの部分に非拡散性の透光板を設けた建物の開口部構造。
【請求項７】
請求項６記載の建物の開口部構造であって、前記開口部を上下に分け、前記開口部の下側部分に前記採光面材を設け、前記開口部の上側部分に非拡散性の透光板を設けた建物の開口部構造。
【請求項８】
建物の複数の開口部に請求項１ないし請求項４のいずれか１項に記載の採光面材を設け、前記開口部の位置によって前記採光面材の前記偏光フィルムの屈折率を互いに異ならせた建物の開口部構造。
【発明の詳細な説明】
【技術分野】
【０００１】
この発明は、建物の採光窓等の開口部に設けられて室内の明るさ感を向上させる採光面材、およびこの採光面材を用いた建物の開口部構造に関する。
【背景技術】
【０００２】
窓の採光用の面材には、一般的には、すりガラス等の拡散板、または透明ガラス等の透光板が用いられている。
太陽光を室内の奥まで導くように工夫した採光面材としては、屋外面にプリズムシートを被覆した窓板が提案されている（例えば、特許文献１）。また、ドーム型の採光装置において、採光口に乳白色のドームカバーを取付け、出射口にプリズム加工された配光板を設けた技術が提案されている（特許文献２）。
なお、遮光性を高める技術としては、偏光フィルムを設けた窓ガラスがある（例えば、特許文献３）。
【先行技術文献】
【特許文献】
【０００３】
【特許文献１】特開平１１−２８０３５０号公報
【特許文献２】特開平１１−２８１９１３号公報
【特許文献３】特開２００８−１６５２０１号公報
【特許文献４】特開２０１０−００１６２８号公報
【特許文献５】特開２０１０−２５９４０６号公報
【発明の概要】
【発明が解決しようとする課題】
【０００４】
狭小地に建てられた建物では、壁面の窓から屋外の光を屋内に取入れようとしても、太陽が高い位置に来ないと太陽光を屋内に取入れられない。また、高い位置から取入れたとしても、室内の明るさ感に重要な壁や天井部が、屋外の光が届かず暗いため、室内が暗く感じられる。すりガラスでは、自然光が拡散して室内に入射するものの、大部分は下向きになっている。
【０００５】
上記の出射側面にプリズム加工部を設けたものでは、太陽光を室内の奥まで導くことが可能ではあるが、室内に虹のような光模様が映る場合があり、自然光として違和感が生じてしまう。また、プリズム加工面は、その凹凸のために汚れが生じ易い。プリズム加工部の代わりに、光を屈折させる偏光フィルムを用いることを考えたが、プリズム加工部を設けた場合と同様に、室内に虹のような光模様により自然光として違和感が生じることがある。また、偏光フィルムは、傷や汚れ、紫外線による変性等により、その屈折の効果が減ってしまう。
【０００６】
この発明の目的は、屋外の光を違和感なく屋内の奥まで十分に取入れることができて、室内の明るさ感を向上させることができ、また長期使用の間にも汚れや変性による採光機能の低下が生じ難い採光面材、およびこの採光面材を用いた建物の開口部構造を提供することである。
【課題を解決するための手段】
【０００７】
この発明の採光面材は、建物の開口部に設けられて前記開口部を塞ぎ屋外の光を屋内に取入れる複層の採光面材であって、屋外側に設けられる非拡散性の透光板と、屋内側に設けられ透過光を拡散させる拡散板と、これら透光板と拡散板との間に介在し入射光を屈折させて透過させる偏光素材層とを備えることを特徴とする。
前記建物の開口部は、外壁の他、間仕切り壁、バルコニー腰壁等の種々の壁、屋根面等に設けられる窓開口、出入り口等である。前記偏光素材層は、偏光フィルムおよび偏光素材のコーティング層等である
【０００８】
この構成によると、例えば、高い位置にある太陽からの光を、建物の外壁の窓等の開口部から屋内に取込むときに、前記採光面材の透光板を下向きに透過した入射光が、偏光素材層により上向きの光に屈折させられ、この上向きとなった光が採光面材の拡散板を透過することで拡散光となる。これにより、屋外からの光を屋内の奥まで取入れることができ、明るさ感を得る上で重要な壁や天井が明るくなって、室内の明るさ感が向上する。そのため、狭小地等で通常では採光の望めない環境においても、開口部からの光を室内奥まで届け、室内の明るさ感を向上させることができる。この効果は、市販の樹脂材料の偏光フィルムを用いて実施形態品を製造し、試験した結果、その効果が確認できた。なお、偏光素材層により光を屈折させる方向は上方向に限らず、左右方向としても良く、この採光面材が設けられる開口部の位置や方向によっては、左右方向に光を屈折させることで、光を屋内の奥まで取入れることができる場合もある。例えば、片開きドア等の場合に、屈折方向を左右方向とすることが好ましい場合がある。
【０００９】
また、偏光素材層を透過した光は拡散板で拡散されるので、出射面に偏光素材層を設けた場合と異なり、偏光素材層を透過することにより透過光に生じる虹のようなプリズム現象を拡散板で緩和することができ、屋内に違和感のない光を届けることができる。偏光素材層は透光板と拡散板の間に介在するので、露出させる場合と異なり、傷や汚れが生じにくく、また紫外線による変性等によりその偏光の効果が低下することが防止され、長期に渡って偏光の性能が維持される。
【００１０】
この発明の採光面材において、前記偏光素材層が偏光フィルムであって、この偏光フィルムを前記透光板の裏面に貼り付け、前記偏光フィルムと前記拡散板との間に空気層を介在させた複層ガラスなどの採光面材としても良い。偏光フィルムを用いると、コーティング等で偏光素材層を設ける場合よりも、採光面材の生産性に優れる。また、前記空気層を介在させることで、開口部の断熱効果を向上させることができる。
【００１１】
この発明の採光面材において、前記偏光素材層が偏光フィルムであって、前記透光板と前記拡散板との間に前記偏光フィルムを挟み込んだ合わせガラス等の採光面材としても良い。この構成の場合、製造が容易である。
【００１２】
この発明において、この採光面材を設ける前記開口部が建物の壁面における開口部であって、前記偏光素材層または偏光フィルムは、屋外側から前記透光板を下向きに透過した入射光を上向きに屈折させる屈折性を有するものであっても良い。壁面に設けられる開口部の場合、一般的には、上向きに屈折させる屈折性を有するものとすることが、室内の明るさ感を向上させる上で好ましい。
【００１３】
この発明の建物の開口部構造は、この発明の上記のいずれかの構成の採光面材を開口部に設けたものである。この開口部構造によると、この発明の採光面材につき前述したように、狭小地等で通常では採光の望めない環境においても、開口部からの光を室内奥まで違和感なく届け、室内の明るさ感を向上させることができる。また、長期使用の間にも採光面材の汚れや変性による採光機能の低下が生じ難い。
【００１４】
この発明の建物の開口部構造において、建物の開口部内の一部に前記採光面材を設け、前記開口部内の残りの部分に非拡散性の透光板を設けても良い。
この構成の場合、開口部内の一部にこの発明の採光面材を設けたので、この部分では、入射光を例えば上向きに屈折して室内に入射させることができ、従来では目隠しを目的として不透明ガラスなどを採光面材として用いた場合と同等の機能を担うだけでなく、自然光を室内の奥まで取入れる機能も担うことができる。開口部の残りの部分に設けられる透光板からは、屋外からの光が直進して室内に入射される。これにより、室内空間を十分に明るくでき、より快適な室内環境をつくることができる。
【００１５】
開口部内の一部に前記採光面材を設ける場合に、前記開口部を上下に分け、前記開口部の下側部分に前記採光面材を設け、前記開口部の上側部分に非拡散性の透光板を設けても良い。
この構成の場合、開口部の下側部分に設けられた採光面材に入射して来る光が上向きに屈折して拡散光となり、室内の壁や天井を照らす。他方、開口部の上側部分に設けられた透光板に下向きに入射して来る光はそのまま直進して室内の床面を照らす。そのため、室内の壁や天井だけでなく床面も照らすことができ、より室内空間を明るくすることができて、明るさ感がより一層向上する。
【００１６】
この発明の建物の開口部構造は、建物の複数の開口部にこの発明の上記いずれかの構成の採光面材を設け、前記開口部の位置によって前記採光面材の前記偏光フィルムの屈折率を互いに異ならせても良い。
この構成の場合、開口部の位置に応じて、開口部からの入射光の屈折角度を異ならせるので、各開口部の位置の日照条件に応じて、各開口部からの入射光で室内の床面、壁、天井を屋内の奥部まで適切に照らすことができる。
【発明の効果】
【００１７】
この発明の採光面材は、建物の開口部に設けられて前記開口部を塞ぎ屋外の光を屋内に取入れる複層の採光面材であって、屋外側に設けられる非拡散性の透光板と、屋内側に設けられ透過光を拡散させる拡散板と、これら透光板と拡散板との間に介在し入射光を屈折させて透過させる偏光素材層とを備えるため、屋外の光を違和感なく屋内の奥まで十分に取入れることができて、室内の明るさ感を向上させることができ、また長期使用の間にも汚れや変性による採光機能の低下が生じ難い耐久性に優れたものとなる。
この発明の建物の開口部構造は、この発明の採光面材を建物の開口部に設けたため、屋外の光を違和感なく屋内の奥まで十分に取入れることができて、室内の明るさ感を向上させることができる。
【図面の簡単な説明】
【００１８】
【図１】この発明の一実施形態にかかる採光面材を用いた建物の開口部の一部を破断して示す断面図である。
【図２】（Ａ）は同採光面材を開口部に設けた部屋の一例の採光状態を示す縦断面図、（Ｂ）は（Ａ）の部屋の開口部に従来の採光面材を設けた場合の採光状態を示す水平断面図、（Ｃ）は（Ａ）の部屋の採光状態を示す水平断面図である。
【図３】同採光面材を開口部に設けた部屋の他の例の採光状態を示す縦断面図である。
【図４】同採光面材を開口部に設けた部屋のさらに他の例の採光状態を示す縦断面図である。
【図５】同採光面材を開口部に設けた部屋のさらに他の例の採光状態を示す縦断面図である。
【図６】同採光面材を複数の開口部に設けた例を示す水平断面図である。
【図７】（Ａ）はこの発明の他の実施形態にかかる採光面材を示す縦断面図、（Ｂ）は同採光面材の分解斜視図である。
【図８】（Ａ）はこの発明のさらに他の実施形態にかかる採光面材を示す縦断面図、（Ｂ）は同採光面材の分解斜視図である。
【発明を実施するための形態】
【００１９】
この発明の一実施形態を図１ないし図５と共に説明する。図１はこの採光面材を用いた建物の開口部を示す断面図である。この採光面材１は、建物の開口部１１に設けられて前記開口部１１を塞ぎ屋外の光を屋内に取入れる面材である。この例では、前記採光面材１を窓戸枠７内に取付けて窓戸６が構成され、この窓戸６が前記開口部１１の開口枠１１ａ内に設けられる。同図の開口部１１は、建物の外壁面に設けられる窓開口である。窓戸６は、開き戸であっても、スライド戸やその他の開閉形式の戸であっても良い。開口部１１を設けた建物は、戸建住宅、集合住宅、事務所ビル等のいずれであっても良く、またどのような構法の建物であっても良い。
【００２０】
前記採光面材１は、屋外側に設けられる非拡散性の透光板２と、屋内側に設けられ透過光を拡散させる拡散板３と、これら透光板２と拡散板３との間に介在し入射光を屈折させて透過させる偏光素材層である偏光フィルム４とを備え、複層ガラス等の複層構造の採光面材とされている。透光板２は、例えば単板の透明ガラスが用いられるが、透明ガラス以外の透明アクリル樹脂等の透明な合成樹脂等の板材を用いても良い。拡散板３としては、単板のすりガラスが用いられるが、この他に、単板の透明ガラスの片面に光拡散性を有する拡散フィルムを貼付けたものや、透過光拡散光性の合成樹脂板を用いても良い。偏光フィルム４は、フィルムに限らず、偏光素材を透光板２等にコーティングした層であっても良い。また、偏光フィルム４には、具体的には、市販のアクリル系等の合成樹脂を主材料とする偏光フィルムを用いることができる。
【００２１】
ここでは、前記偏光フィルム４は、屋外側に設けられる透光板２の屋内側を向く片面に貼付けられ、透光板２を下向きに透過した入射光を上向きに屈折させる屈折性を有する。また、この偏光フィルム４と、屋内側に設けられる拡散板３との間には空気層５が設けられ、空気層付きのペアガラスを構成する。偏光フィルム４および上記偏光素材層の材質は、光の透過性に優れ、かつ屈折率の高い合成樹脂材料等が用いられる。
【００２２】
上記構成の採光面材１を用いた窓戸６を備える開口部構造によると、図１のように高い位置にある太陽Ｓからの光を前記開口部１１から屋内に取込むとき、採光面材１の透光板２を下向きに透過した入射光Ｌ１は、偏光フィルム４により上向きの光Ｌ２に屈折させられ、さらに上向きとなった光Ｌ２は採光面材１の拡散板３を透過するときに拡散光Ｌ３となる。
このように入射光Ｌ１が偏光フィルム４で屈折することにより、屋外からの光を屋内の奥まで取入れることができて、明るさ感の上で重要となる壁や天井が明るくなることから、明るさ感を向上させることができる。また、偏光フィルム４を透過した光は拡散板３で拡散されるので、偏光フィルム４を透過することにより透過光に生じる虹状の光模様のプリズム現象を拡散板３で緩和することができ、屋内に違和感のない光を届けることができる。また、自然光が居住者の目に入ることで、サーカディアンリズムの調整作用が働き、健康にも寄与できる。
なお、窓戸６の採光面材が例えば透光板２だけからなる従来例の場合には、透光板２を下向きに透過した入射光Ｌ１はそのまま下向きの光Ｌ４として屋内に取込まれるので、屋内の奥まで光が届かず屋内を暗くしてしまう。このような問題が、採光面材１によって解消される。
また、偏光フィルム４は透光板２と拡散板３の間に介在するので、屋外面や屋内面に露出させる場合と異なり、傷や汚れが生じにくく、また紫外線による変性等によりその偏光の効果が低下することが防止され、長期に渡って偏光の性能が維持される。
【００２３】
図２は、前記採光面材１を開口部１１に用いた建物１０の開口部構造の一例の採光効果を、一般的なＬＤＫプランの部屋の例で示している。図２（Ａ）はその建物１０の縦断面図を示し、図２（Ｃ）はその水平断面図を示す。なお、図２（Ｂ）は同じ建物１０における開口部１１に上記した透光板２だけからなる従来の採光面材を用いた場合の水平断面図を示す。各図における破線のハッチングを付した部位は、屋外から入射した光が届かない範囲を示す。
【００２４】
図１でも示したように、建物１０の壁面に位置する開口部１１を、前記採光面材１を用いた窓戸６で塞ぐ開口部構造では、図２（Ａ）のように、高い位置にある太陽Ｓから開口部１１の採光面材１に下向きに入射してくる光Ｌ１が上向きに屈折させられ、しかも拡散光Ｌ３となって室内の奥まで届くので、壁や天井が明るくなり、図２（Ｃ）のように部屋全体を十分に明るくして明るさ感を向上させることができる。同図の例では、開口部１１に隣接してリビング・ダイニング部分ＬＤが設けられ、奥側にキッチンＫが設けられているが、キッチンＫの部分まで明るくなり、快適に作業をすることができる。
これに対して、採光面材が例えば上記した透光板２だけからなる従来の窓で前記開口部１１を塞ぐ場合には、開口部１１に下向きに入射して来た光Ｌ１がそのまま直進するので、図２（Ｂ）のように直進してきた光Ｌ４は室内の奥のキッチンＫまで届かず、また部屋全体が暗くなってしまう。
【００２５】
図２〜図４に各例を示すように、開口部１１の位置や形状により適する偏光の屈折角度が異なるため、適した屈折角度（すなわち偏光角度）の偏光フィルム４を用いる。
図３は、前記採光面材１を開口部１１に用いた建物１０の開口部構造の他の例の縦断面図を示している。この開口部構造では、開口部１１の位置が図２の場合よりも下位置となっている。そのため、採光面材が例えば上記した透光板２だけからなる従来の窓で前記開口部１１を塞ぐ場合には、高い位置にある太陽Ｓから開口部１１へ下向きに入射して来た光Ｌ１はそのまま直進し、採光面材を透過してきた光Ｌ４は室内の一部床面を照射するだけとなり、開口部１１が高い位置にある図２の場合に比べて、部屋全体はさらに暗くなってしまう。
【００２６】
そこで、図３の実施形態の開口部構造では、前記開口部１１を前記採光面材１を用いた窓戸６で塞ぎ、しかも採光面材１を構成する偏光フィルム４の屈折角度を、図２の場合よりも大きくしている。つまり、偏光フィルム４により入射光Ｌ１が上向きに屈折する角度を、図２の例の場合よりも大きくしている。このため、開口部１１へ下向きに入射してきた光Ｌ１が採光面材１で十分な角度だけ上向きに屈折させられ、しかも拡散光Ｌ３となって室内の奥まで届くので、壁や天井が明るくなり部屋全体を十分に明るくすることができる。
【００２７】
図４は、前記採光面材１を開口部１１に用いた建物１０の開口部構造のさらに他の例の縦断面図を示している。この開口部構造は、建物１０の壁面に開口する開口部１１を上下に分けた窓戸６，１６で閉じる構成であって、窓戸６，１６は、例えば、上げ下げ戸とされる。この例では、開口部１１の下側部分に前記採光面材１を用いた窓戸６を設け、開口部１１の上側部分には前記非拡散性の透光板２を用いた従来の窓戸１６を設けている。
この開口部構造では、開口部１１の下側部分に設けられた窓戸６に下向きに入射して来る光Ｌ１が上向きに屈折して拡散光Ｌ３となり、室内の壁や天井を照らす。他方、開口部１１の上側部分に設けられた窓戸１６に下向きに入射して来る光Ｌ１はそのまま直進して室内の床面を照らす。そのため、室内の壁や天井だけでなく床面も照らすことができ、より室内空間が明るくなって明るさ感を向上させることができる。
【００２８】
図５は、前記採光面材１を開口部１１に用いた建物１０の開口部構造のさらに他の例の縦断面図を示している。この開口部構造でも、建物１０の壁面に開口する開口部１１の一部に前記採光面材１を用いた窓戸６を設け、開口部１１の残りの部分には前記非拡散性の透光板２を用いた従来の窓戸１６を設けている。特に、この例では、開口部１１を上部分、中間部分、および下部分の３つに区画して、中間部分に前記採光面材１を用いた窓戸６を設け、上部分および下部分に前記非拡散性の透光板２を用いた従来の窓戸１６をそれぞれ設けている。
この開口部構造では、開口部１１の高さ方向の中間部分に前記採光面材１を用いた窓戸６を用いているので、開口部１１の中間部分では屋外からの入射光Ｌ１が上向きに屈折して室内に入射することになり、従来目隠しを目的として不透明ガラスなどを採光面材として用いた窓と同等の機能を担うだけでなく、自然光を室内の奥まで取入れる機能も担うことになる。開口部１１の上部分や下部分に設けられる窓戸１６からは屋外からの光Ｌ１が直進して室内に入射される。これにより、室内空間を十分に明るくでき、快適な室内環境をつくることができる。
【００２９】
図６は、さらに他の開口部構造の例を示す。同図の例では、建物の開口部１１が複数あり、それらの各開口部１１を、前記採光面材１を用いた窓戸６でそれぞれ塞いでいるが、それらの開口部１１の位置によって、各採光面材１における偏光フィルム４の屈折率を互いに異ならせている。
この構成の場合、開口部１１の位置に応じて、開口部１１からの入射光の屈折角度を異ならせるので、各開口部１１の日照等の採光条件等に応じて、いずれの開口部１１からも室内の奥部まで入射光を届かせることができる。また、室内の床面、壁、天井に過不足無く均等に照らすことも可能となる。
【００３０】
図７（Ａ），（Ｂ）は、それぞれこの発明の採光面材の他の実施形態を示す。この採光面材１Ａは、屋外側に設けられる非拡散性の透光板２と、屋内側に設けられる拡散板３とで、偏光フィルム４を隙間なく挟み付けた合わせガラスとしたものである。なお、偏光フィルム４は３枚のフィルム層４ａを積層して構成される。
この採光面材１Ａでは、偏光フィルム４が透光板２と拡散板３とで隙間なく挟み付けられるので、偏光フィルム４は、屋外面や屋内面だけでなく、採光面材内部の空気層とも触れず、より一層良好に、汚れ防止や変性防止の作用が得られる。その他の効果は図１の実施形態の場合と同様である。
【００３１】
図８（Ａ），（Ｂ）は、この発明のさらに他の実施形態を示す。この採光面材１Ｂは、図７の採光面材１Ａにおいて、偏光フィルム４を１層構造のものとしている。その他の構成および作用効果は図７の実施形態の場合と同様である。なお、同図の合わせガラス形式の採光面材１と他の透光板（図示せず）とを、空気層を介して組み合わせ、ペアガラスとしても良い。
図７，図８の例の採光面材１Ａにおいても、透光板２および拡散板３は、合成樹脂製であっても良い。
【００３２】
なお、上記実施形態では自然光を取り込む用途に使用する場合につき説明したが、参考提案例として示すと、上記各実施形態の採光面材１，１Ａおよび開口部構造は、照明光を取り込む箇所にも使用できる。また、前記採光面材１，１Ａおよび開口部構造屋外から室内に光を取り込む箇所に限らず、屋内の間仕切り壁における開口部に適用することもできる。
【符号の説明】
【００３３】
１，１Ａ，１Ｂ…採光面材
２…透光板
３…拡散板
４…偏光フィルム
１１…開口部
【図１】
2014044305.tif 000003
【図２】
2014044305.tif 000004
【図３】
2014044305.tif 000005
【図４】
2014044305.tif 000006
【図５】
2014044305.tif 000007
【図６】
2014044305.tif 000008
【図７】
2014044305.tif 000009
【図８】
2014044305.tif 000010
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
建物の開口部に設けられて前記開口部を塞ぎ屋外の光を屋内に取入れる複層の採光面材であって、
屋外側に設けられる非拡散性の透光板と、屋内側に設けられ透過光を拡散させる拡散板と、これら透光板と拡散板との間に介在し入射光を屈折させて透過させる屈折素材層とを備えることを特徴とする採光面材。
【請求項２】
請求項１記載の採光面材において、前記屈折素材層が屈折フィルムであって、この屈折フィルムを前記透光板の裏面に貼り付け、前記屈折フィルムと前記拡散板との間に空気層を介在させた採光面材。
【請求項３】
請求項１記載の採光面材において、前記屈折素材層が屈折フィルムであって、前記透光板と前記拡散板との間に前記屈折フィルムを挟み込んだ採光面材。
【請求項４】
請求項１ないし請求項３のいずれか１項に記載の採光面材において、この採光面材を設ける前記開口部が建物の壁面における開口部であって、前記屈折素材層または屈折フィルムは、屋外側から前記透光板を下向きに透過した入射光を上向きに屈折させる屈折性を有する採光面材。
【請求項５】
建物の開口部に、請求項１ないし請求項４のいずれか１項に記載の採光面材を設けた建物の開口部構造。
【請求項６】
請求項５記載の建物の開口部構造であって、建物の開口部内の一部に前記採光面材を設け、前記開口部内の残りの部分に非拡散性の透光板を設けた建物の開口部構造。
【請求項７】
請求項６記載の建物の開口部構造であって、前記開口部を上下に分け、前記開口部の下側部分に前記採光面材を設け、前記開口部の上側部分に非拡散性の透光板を設けた建物の開口部構造。
【請求項８】
建物の複数の開口部に請求項１ないし請求項４のいずれか１項に記載の採光面材を設け、前記開口部の位置によって前記採光面材の前記屈折フィルムの屈折率を互いに異ならせた建物の開口部構造。
【手続補正２】
【補正対象書類名】明細書
【補正対象項目名】０００５
【補正方法】変更
【補正の内容】
【０００５】
上記の出射側面にプリズム加工部を設けたものでは、太陽光を室内の奥まで導くことが可能ではあるが、室内に虹のような光模様が映る場合があり、自然光として違和感が生じてしまう。また、プリズム加工面は、その凹凸のために汚れが生じ易い。プリズム加工部の代わりに、光を屈折させる屈折フィルムを用いることを考えたが、プリズム加工部を設けた場合と同様に、室内に虹のような光模様により自然光として違和感が生じることがある。また、屈折フィルムは、傷や汚れ、紫外線による変性等により、その屈折の効果が減ってしまう。
【手続補正３】
【補正対象書類名】明細書
【補正対象項目名】０００７
【補正方法】変更
【補正の内容】
【０００７】
この発明の採光面材は、建物の開口部に設けられて前記開口部を塞ぎ屋外の光を屋内に取入れる複層の採光面材であって、屋外側に設けられる非拡散性の透光板と、屋内側に設けられ透過光を拡散させる拡散板と、これら透光板と拡散板との間に介在し入射光を屈折させて透過させる屈折素材層とを備えることを特徴とする。
前記建物の開口部は、外壁の他、間仕切り壁、バルコニー腰壁等の種々の壁、屋根面等に設けられる窓開口、出入り口等である。前記屈折素材層は、屈折フィルムおよび屈折素材のコーティング層等である
【手続補正４】
【補正対象書類名】明細書
【補正対象項目名】０００８
【補正方法】変更
【補正の内容】
【０００８】
この構成によると、例えば、高い位置にある太陽からの光を、建物の外壁の窓等の開口部から屋内に取込むときに、前記採光面材の透光板を下向きに透過した入射光が、屈折素材層により上向きの光に屈折させられ、この上向きとなった光が採光面材の拡散板を透過することで拡散光となる。これにより、屋外からの光を屋内の奥まで取入れることができ、明るさ感を得る上で重要な壁や天井が明るくなって、室内の明るさ感が向上する。そのため、狭小地等で通常では採光の望めない環境においても、開口部からの光を室内奥まで届け、室内の明るさ感を向上させることができる。この効果は、市販の樹脂材料の屈折フィルムを用いて実施形態品を製造し、試験した結果、その効果が確認できた。なお、屈折素材層により光を屈折させる方向は上方向に限らず、左右方向としても良く、この採光面材が設けられる開口部の位置や方向によっては、左右方向に光を屈折させることで、光を屋内の奥まで取入れることができる場合もある。例えば、片開きドア等の場合に、屈折方向を左右方向とすることが好ましい場合がある。
【手続補正５】
【補正対象書類名】明細書
【補正対象項目名】０００９
【補正方法】変更
【補正の内容】
【０００９】
また、屈折素材層を透過した光は拡散板で拡散されるので、出射面に屈折素材層を設けた場合と異なり、屈折素材層を透過することにより透過光に生じる虹のようなプリズム現象を拡散板で緩和することができ、屋内に違和感のない光を届けることができる。屈折素材層は透光板と拡散板の間に介在するので、露出させる場合と異なり、傷や汚れが生じにくく、また紫外線による変性等によりその屈折の効果が低下することが防止され、長期に渡って屈折の性能が維持される。
【手続補正６】
【補正対象書類名】明細書
【補正対象項目名】００１０
【補正方法】変更
【補正の内容】
【００１０】
この発明の採光面材において、前記屈折素材層が屈折フィルムであって、この屈折フィルムを前記透光板の裏面に貼り付け、前記屈折フィルムと前記拡散板との間に空気層を介在させた複層ガラスなどの採光面材としても良い。屈折フィルムを用いると、コーティング等で屈折素材層を設ける場合よりも、採光面材の生産性に優れる。また、前記空気層を介在させることで、開口部の断熱効果を向上させることができる。
【手続補正７】
【補正対象書類名】明細書
【補正対象項目名】００１１
【補正方法】変更
【補正の内容】
【００１１】
この発明の採光面材において、前記屈折素材層が屈折フィルムであって、前記透光板と前記拡散板との間に前記屈折フィルムを挟み込んだ合わせガラス等の採光面材としても良い。この構成の場合、製造が容易である。
【手続補正８】
【補正対象書類名】明細書
【補正対象項目名】００１２
【補正方法】変更
【補正の内容】
【００１２】
この発明において、この採光面材を設ける前記開口部が建物の壁面における開口部であって、前記屈折素材層または屈折フィルムは、屋外側から前記透光板を下向きに透過した入射光を上向きに屈折させる屈折性を有するものであっても良い。壁面に設けられる開口部の場合、一般的には、上向きに屈折させる屈折性を有するものとすることが、室内の明るさ感を向上させる上で好ましい。
【手続補正９】
【補正対象書類名】明細書
【補正対象項目名】００１６
【補正方法】変更
【補正の内容】
【００１６】
この発明の建物の開口部構造は、建物の複数の開口部にこの発明の上記いずれかの構成の採光面材を設け、前記開口部の位置によって前記採光面材の前記屈折フィルムの屈折率を互いに異ならせても良い。
この構成の場合、開口部の位置に応じて、開口部からの入射光の屈折角度を異ならせるので、各開口部の位置の日照条件に応じて、各開口部からの入射光で室内の床面、壁、天井を屋内の奥部まで適切に照らすことができる。
【手続補正１０】
【補正対象書類名】明細書
【補正対象項目名】００１７
【補正方法】変更
【補正の内容】
【００１７】
この発明の採光面材は、建物の開口部に設けられて前記開口部を塞ぎ屋外の光を屋内に取入れる複層の採光面材であって、屋外側に設けられる非拡散性の透光板と、屋内側に設けられ透過光を拡散させる拡散板と、これら透光板と拡散板との間に介在し入射光を屈折させて透過させる屈折素材層とを備えるため、屋外の光を違和感なく屋内の奥まで十分に取入れることができて、室内の明るさ感を向上させることができ、また長期使用の間にも汚れや変性による採光機能の低下が生じ難い耐久性に優れたものとなる。
この発明の建物の開口部構造は、この発明の採光面材を建物の開口部に設けたため、屋外の光を違和感なく屋内の奥まで十分に取入れることができて、室内の明るさ感を向上させることができる。
【手続補正１１】
【補正対象書類名】明細書
【補正対象項目名】００２０
【補正方法】変更
【補正の内容】
【００２０】
前記採光面材１は、屋外側に設けられる非拡散性の透光板２と、屋内側に設けられ透過光を拡散させる拡散板３と、これら透光板２と拡散板３との間に介在し入射光を屈折させて透過させる屈折素材層である屈折フィルム４とを備え、複層ガラス等の複層構造の採光面材とされている。透光板２は、例えば単板の透明ガラスが用いられるが、透明ガラス以外の透明アクリル樹脂等の透明な合成樹脂等の板材を用いても良い。拡散板３としては、単板のすりガラスが用いられるが、この他に、単板の透明ガラスの片面に光拡散性を有する拡散フィルムを貼付けたものや、透過光拡散光性の合成樹脂板を用いても良い。屈折フィルム４は、フィルムに限らず、屈折素材を透光板２等にコーティングした層であっても良い。また、屈折フィルム４には、具体的には、市販のアクリル系等の合成樹脂を主材料とする屈折フィルムを用いることができる。
【手続補正１２】
【補正対象書類名】明細書
【補正対象項目名】００２１
【補正方法】変更
【補正の内容】
【００２１】
ここでは、前記屈折フィルム４は、屋外側に設けられる透光板２の屋内側を向く片面に貼付けられ、透光板２を下向きに透過した入射光を上向きに屈折させる屈折性を有する。また、この屈折フィルム４と、屋内側に設けられる拡散板３との間には空気層５が設けられ、空気層付きのペアガラスを構成する。屈折フィルム４および上記屈折素材層の材質は、光の透過性に優れ、かつ屈折率の高い合成樹脂材料等が用いられる。
【手続補正１３】
【補正対象書類名】明細書
【補正対象項目名】００２２
【補正方法】変更
【補正の内容】
【００２２】
上記構成の採光面材１を用いた窓戸６を備える開口部構造によると、図１のように高い位置にある太陽Ｓからの光を前記開口部１１から屋内に取込むとき、採光面材１の透光板２を下向きに透過した入射光Ｌ１は、屈折フィルム４により上向きの光Ｌ２に屈折させられ、さらに上向きとなった光Ｌ２は採光面材１の拡散板３を透過するときに拡散光Ｌ３となる。
このように入射光Ｌ１が屈折フィルム４で屈折することにより、屋外からの光を屋内の奥まで取入れることができて、明るさ感の上で重要となる壁や天井が明るくなることから、明るさ感を向上させることができる。また、屈折フィルム４を透過した光は拡散板３で拡散されるので、屈折フィルム４を透過することにより透過光に生じる虹状の光模様のプリズム現象を拡散板３で緩和することができ、屋内に違和感のない光を届けることができる。また、自然光が居住者の目に入ることで、サーカディアンリズムの調整作用が働き、健康にも寄与できる。
なお、窓戸６の採光面材が例えば透光板２だけからなる従来例の場合には、透光板２を下向きに透過した入射光Ｌ１はそのまま下向きの光Ｌ４として屋内に取込まれるので、屋内の奥まで光が届かず屋内を暗くしてしまう。このような問題が、採光面材１によって解消される。
また、屈折フィルム４は透光板２と拡散板３の間に介在するので、屋外面や屋内面に露出させる場合と異なり、傷や汚れが生じにくく、また紫外線による変性等によりその屈折の効果が低下することが防止され、長期に渡って屈折の性能が維持される。
【手続補正１４】
【補正対象書類名】明細書
【補正対象項目名】００２５
【補正方法】変更
【補正の内容】
【００２５】
図２〜図４に各例を示すように、開口部１１の位置や形状により適する屈折光の屈折角度が異なるため、適した屈折角度の屈折フィルム４を用いる。
図３は、前記採光面材１を開口部１１に用いた建物１０の開口部構造の他の例の縦断面図を示している。この開口部構造では、開口部１１の位置が図２の場合よりも下位置となっている。そのため、採光面材が例えば上記した透光板２だけからなる従来の窓で前記開口部１１を塞ぐ場合には、高い位置にある太陽Ｓから開口部１１へ下向きに入射して来た光Ｌ１はそのまま直進し、採光面材を透過してきた光Ｌ４は室内の一部床面を照射するだけとなり、開口部１１が高い位置にある図２の場合に比べて、部屋全体はさらに暗くなってしまう。
【手続補正１５】
【補正対象書類名】明細書
【補正対象項目名】００２６
【補正方法】変更
【補正の内容】
【００２６】
そこで、図３の実施形態の開口部構造では、前記開口部１１を前記採光面材１を用いた窓戸６で塞ぎ、しかも採光面材１を構成する屈折フィルム４の屈折角度を、図２の場合よりも大きくしている。つまり、屈折フィルム４により入射光Ｌ１が上向きに屈折する角度を、図２の例の場合よりも大きくしている。このため、開口部１１へ下向きに入射してきた光Ｌ１が採光面材１で十分な角度だけ上向きに屈折させられ、しかも拡散光Ｌ３となって室内の奥まで届くので、壁や天井が明るくなり部屋全体を十分に明るくすることができる。
【手続補正１６】
【補正対象書類名】明細書
【補正対象項目名】００２９
【補正方法】変更
【補正の内容】
【００２９】
図６は、さらに他の開口部構造の例を示す。同図の例では、建物の開口部１１が複数あり、それらの各開口部１１を、前記採光面材１を用いた窓戸６でそれぞれ塞いでいるが、それらの開口部１１の位置によって、各採光面材１における屈折フィルム４の屈折率を互いに異ならせている。
この構成の場合、開口部１１の位置に応じて、開口部１１からの入射光の屈折角度を異ならせるので、各開口部１１の日照等の採光条件等に応じて、いずれの開口部１１からも室内の奥部まで入射光を届かせることができる。また、室内の床面、壁、天井に過不足無く均等に照らすことも可能となる。
【手続補正１７】
【補正対象書類名】明細書
【補正対象項目名】００３０
【補正方法】変更
【補正の内容】
【００３０】
図７（Ａ），（Ｂ）は、それぞれこの発明の採光面材の他の実施形態を示す。この採光面材１Ａは、屋外側に設けられる非拡散性の透光板２と、屋内側に設けられる拡散板３とで、屈折フィルム４を隙間なく挟み付けた合わせガラスとしたものである。なお、屈折フィルム４は３枚のフィルム層４ａを積層して構成される。
この採光面材１Ａでは、屈折フィルム４が透光板２と拡散板３とで隙間なく挟み付けられるので、屈折フィルム４は、屋外面や屋内面だけでなく、採光面材内部の空気層とも触れず、より一層良好に、汚れ防止や変性防止の作用が得られる。その他の効果は図１の実施形態の場合と同様である。
【手続補正１８】
【補正対象書類名】明細書
【補正対象項目名】００３１
【補正方法】変更
【補正の内容】
【００３１】
図８（Ａ），（Ｂ）は、この発明のさらに他の実施形態を示す。この採光面材１Ｂは、図７の採光面材１Ａにおいて、屈折フィルム４を１層構造のものとしている。その他の構成および作用効果は図７の実施形態の場合と同様である。なお、同図の合わせガラス形式の採光面材１と他の透光板（図示せず）とを、空気層を介して組み合わせ、ペアガラスとしても良い。
図７，図８の例の採光面材１Ａにおいても、透光板２および拡散板３は、合成樹脂製であっても良い。
【手続補正１９】
【補正対象書類名】明細書
【補正対象項目名】００３３
【補正方法】変更
【補正の内容】
【００３３】
１，１Ａ，１Ｂ…採光面材
２…透光板
３…拡散板
４…屈折フィルム
１１…開口部
【手続補正２０】
【補正対象書類名】図面
【補正対象項目名】図１
【補正方法】変更
【補正の内容】
【図１】
2014044305.tif 000011